(57)【特許請求の範囲】
【請求項１】
印刷されたシート状物をガイド部材に形成されたシート状物ガイド面に沿わせながらバキューム源が接続されたカール除去部材により吸引して前記シート状物のカールを矯正し、デリバリー部へ搬送するシート状物カール除去装置において、
前記カール除去部材のカール除去部をシート状物ガイド面から退避させたときに、前記カール除去部が退避する前の位置と略同じ位置に移動する移動ガイドを設け、該移動ガイドの前記移動の際には同移動ガイドの移動ガイド面と前記シート状物ガイド面が略同一平面上になるようにしたことを特徴とするシート状物カール除去装置。
【請求項２】
前記カール除去部材に前記移動ガイドが支持されていることを特徴とする請求項１記載のシート状物カール除去装置。
【発明の詳細な説明】
【０００１】
【発明の属する技術分野】
本発明は、枚葉印刷機等において印刷用紙等シート状物のカール現象を修正するための装置に関する。
【０００２】
【従来の技術】
多色刷りのオフセット印刷の場合、単色刷りに比較して、水及びインキの塗布量及び印圧が大きくなるため、紙の種類によってはカールが強くなり、排紙機構の排紙台への整紙が困難になって作業能率の低下並びに裏写り（印刷用紙辺の擦れ）による印刷面の汚れ等の原因となっていた。
【０００３】
そこで、従来では、例えば図３及び図４に示すようなカール修正装置が提案されている（特開昭５７−１９５０５４号公報等参照）。
【０００４】
これは、先ず、圧胴１に送られて印刷が施された印刷用紙Ｐは、一対のスプロケット２間を走行するチェーン３に取り付けられた排紙爪４と当金５との間に挾持されて受板６上に送られ、排紙爪４を離した後スローダウン装置７によりブレーキをかけられて排紙台８上に収容されるようになっている。
【０００５】
そして、前記過程において、印刷後の印刷用紙Ｐはその印刷面Ｐ1 を上面としてカールを起こし易いが、本装置では、前記排紙機構内の受板６途中に排紙爪４に接近させてカール修正用バキュームガイド１０を設置することによりこれを防止している。
【０００６】
即ち、前記バキュームガイド１０の上面には印刷用紙Ｐの幅方向へ延びる一対の円弧状凸面１１とそれらの間で凹状をなすくぼみ１２とによりカール修正面を形成するとともに、同くぼみ１２の幅方向全体に細長い吸気孔（図示せず）を透設してバキュームガイド１０の内部と連通させている。このバキュームガイド１０の内部は吸気ポンプ１３によって常に強力に吸気されており、この吸引力はバルブ１４によって調整される。
【０００７】
前記吸気ポンプ１３は、印刷用紙Ｐを挾持した排紙爪４がバキュームガイド１０を通過した直後に作動し、印刷用紙Ｐはその下面がバキュームガイド１０のカール修正面上に沿うように吸気孔からの吸引により彎曲して順次カールを修正されながら排紙台８上に収容される。
【０００８】
【発明が解決しようとする課題】
ところで、前述した従来のカール修正装置にあっては、薄紙でかつ片面印刷の場合にその効果が大きく発揮されるが、厚紙や両面印刷の場合には、修正不能（厚紙の場合）であったり、印刷面がカール修正面に擦られて損紙となる（両面印刷の場合）虞がある。
【０００９】
そこで、従来では、厚紙や両面印刷の場合には、バキュームガイド１０を受板６の下方に収納（退避）するようになっている。そのため、当該排紙時には、受板６に比較的大きな切れ目が発生することになり、その切れ目でエアーが洩れる（バルブ１４を切れ忘れると）ために、紙暴れが生じると共に、受板６とバキュームガイド１０との段差による紙の擦れが発生するという問題点があった。
【００１０】
そこで、本発明の目的は、カール除去部の退避時における紙暴れと紙の擦れを効果的に防止することができるシート状物カール除去装置を提供することにある。
【００１１】
【課題を解決するための手段】
上記目的を達成するために、本発明に係るシート状物カール除去装置は、印刷されたシート状物をガイド部材に形成されたシート状物ガイド面に沿わせながらバキューム源が接続されたカール除去部材により吸引して前記シート状物のカールを矯正し、デリバリー部へ搬送するシート状物カール除去装置において、前記カール除去部材のカール除去部をシート状物ガイド面から退避させたときに、前記カール除去部が退避する前の位置と略同じ位置に移動する移動ガイドを設け、該移動ガイドの前記移動の際には同移動ガイドの移動ガイド面と前記シート状物ガイド面が略同一平面上になるようにしたことを特徴とする。
また、前記カール除去部材に前記移動ガイドが支持されていることを特徴とする。
【００１２】
［作用］
上記構成によれば、カール除去部の退避時には、移動ガイドによりシート状物ガイド面の切れ目が塞がれ、エアーの洩れが無くなって紙暴れが防止されると共に、シート状物ガイド面と移動ガイド面とがフラットになるため、紙の擦れが防止される。
また、カール除去部材に前記移動ガイドが支持されると、駆動源の共用化等で構造の簡略化が図れる。
【００１３】
【発明の実施の形態】
本発明に係るシート状物カール除去装置を実施例により図面を用いて詳細に説明する。
【００１４】
［実施例］
図１は本発明の一実施例を示す両面・片面印刷兼用枚葉印刷機の排紙部の側面図で、図２は同じく要部の異なった作用状態図である。尚、これらの図において、図３及び図４と同一部材には同一符号を付して説明する。
【００１５】
即ち、図において、圧胴１に送られて印刷が施されたシート状物としての印刷用紙Ｐは、一対のスプロケット２間を走行するチェーン３に取り付けられた排紙爪４と当金５との間に挾持されてガイド部材としての受板６上に送られ、排紙爪４を離した後スローダウン装置７によりブレーキをかけられて排紙台８上に収容されるようになっている。
【００１６】
そして、前記過程において、薄い印刷用紙Ｐに生じるカールを、片面印刷時にのみ、修正するためのカール除去部材２０が前記排紙機構内の受板６途中に設置される。
【００１７】
前記カール除去部材２０は、図示しない左，右両フレーム間に回転自在に支持された支持軸２１と、該支持軸２１上に所定間隔離間して固設された複数のクランク板２２と、これらクランク板２２間に架設された移動ガイドとしての移動ガイド板部２３と、この移動ガイド板部２３と一体に形成されたカール除去部２４と、前記クランク板２２にピストンロッド先端がピン２５により回動自在に結合されると共にヘッド基端が機械側の所定の固定部材２６にブラケット２７を介してピン２８により回動自在に結合されたエアーシリンダ２９とを備え、該エアーシリンダ２９の伸長時には前記移動ガイド板部２３が受板６上に位置し（図１の状態参照）、反対に収縮時には、前記移動ガイド板部２３が退避位置に回転・移動する一方、前記カール除去部２４が、退避位置から受板６上に前記移動ガイド板部２３に代わって位置されるようになっている（図２の状態参照）。
【００１８】
前記移動ガイド板部２３は、前記受板６のガイド面６ａとほぼ同一幅であって、前記受板６上への移動の際には、そのガイド面２３ａと前記受板６のガイド面６ａとが略同一平面上になるようになっている。
【００１９】
前記カール除去部２４は、前記受板６のガイド面６ａとほぼ同一幅であって、その上面には印刷用紙Ｐの幅方向へ延びる一対の円弧状凸面２４ａとそれらの間で凹状をなすくぼみ２４ｂとによりカール修正面を形成するとともに、同くぼみ２４ｂの幅方向全体に細長い吸気孔（図示せず）を透設してカール除去部２４内部の負圧通路２４ｃと連通させている。この負圧通路２４ｃの内部は図示しないバキュームポンプ等のバキューム源とバルブを介して接続されている。
【００２０】
このように構成されるため、薄い印刷用紙Ｐの片面印刷時には、前記エアーシリンダ２９を収縮させて前記カール除去部２４を受板６上に位置させれば良い（図２の状態参照）。これにより、排紙爪４に挾持されて受板６上を通過する印刷用紙Ｐはその下面がカール除去部２４のカール修正面上に沿うように吸気孔からの吸引により彎曲して順次カールが修正されることになる。
【００２１】
一方、厚紙や両面印刷時には、前記エアーシリンダ２９を伸長させて前記移動ガイド板部２３を退避位置から受板６上に前記カール除去部２４に代わって位置させれば良い（図１の状態参照）。これにより、受板６上の切れ目（カール除去部２４の退避により形成される）が前記移動ガイド板部２３により塞がれ、エアーの洩れが無くなって紙暴れが防止されると共に、受板６のガイド面２６ａと移動ガイド板部２３のガイド面２３ａとがフラットになるため、紙の擦れが防止される。
【００２２】
そして、本実施例では、前記移動ガイド板部２３とカール除去部２４とが一体に形成されているため、エアーシリンダ２９の共用化等で構造の簡略化が図れる。
【００２３】
尚、本発明は上記実施例に限定されず、本発明の要旨を逸脱しない範囲で、移動ガイド板部２３をカール除去部２４と別体に形成して専用の駆動系で動作させるとか、カール除去部２４の駆動系にリンク機構を介して連動させる等各種変更が可能であることはいうまでもない。
【００２４】
【発明の効果】
以上説明したように本発明によれば、印刷されたシート状物をガイド部材に形成されたシート状物ガイド面に沿わせながらバキューム源が接続されたカール除去部材により吸引して前記シート状物のカールを矯正し、デリバリー部へ搬送するシート状物カール除去装置において、前記カール除去部材のカール除去部をシート状物ガイド面から退避させたときに、前記カール除去部が退避する前の位置と略同じ位置に移動する移動ガイドを設け、該移動ガイドの前記移動の際には同移動ガイドの移動ガイド面と前記シート状物ガイド面が略同一平面上になるようにしたので、カール除去部の退避時には、移動ガイドによりシート状物ガイド面の切れ目が塞がれ、エアーの洩れが無くなって紙暴れが防止されると共に、シート状物ガイド面と移動ガイド面とがフラットになるため、紙の擦れが防止される。
【００２５】
また、前記カール除去部材に前記移動ガイドが支持されているので、駆動源の共用化等で構造の簡略化が図れる。。
【図面の簡単な説明】
【図１】本発明の一実施例を示す両面・片面印刷兼用枚葉印刷機の排紙部の側面図である。
【図２】同じく要部の異なった作用状態図である。
【図３】従来例の両面・片面印刷兼用枚葉印刷機の排紙部の側面図である。
【図４】同じく要部の異なった作用状態図である。
【符号の説明】
１  圧胴
２  スプロケット
３  チェーン
４  排紙爪
５  当金
６  受板
７  スローダウン装置
８  排紙台
２０  カール除去装置
２１  支持軸
２２  クランク板
２３  移動ガイド板部
２４  カール除去部
２５  ピン
２６  固定部材
２７  ブラケット
２８  ピン
２９  エアーシリンダ
【図１】
0003863295.tif 000002
【図２】
0003863295.tif 000003
【図３】
0003863295.tif 000004
【図４】
0003863295.tif 000005